(57)【要約】【課題】安価な調整用画像を用いて適切に画像調整する。【解決手段】調整用画像を読み取る画像読取部２２と読み取られた調整用画像データを記憶する画像記憶部１１と、調整用画像データに基づき画像調整処理する画像調整部１２と主走査方向の長さが原稿台２２１の主走査方向の全長より短い調整用画像の載置位置が予め２つ以上定められた載置定義情報を記憶する位置記憶部１３と、定められた載置位置のうち載置されていない何れかの載置位置に調整用画像を載置するよう表示部５１に案内表示する表示制御部１４と、調整用画像が載置された場合に画像を読み取らせる読取制御部１５と、定められた全載置位置に調整用画像が載置されるまで案内表示させ、全載置位置に調整用画像が載置されると画像調整処理させる実行制御部１６と、実行制御部１６の実行指示を受け付ける指示受付部１７とを備えてなる画像読取装置２０。【選択図】図２
2011176614.tif 000002
【特許請求の範囲】
【請求項１】
表示部と、
原稿画像が載置される原稿台と、
前記原稿台に載置された原稿画像を読み取る画像読取処理を行う画像読取部と、
前記画像読取部により画像調整用の原稿画像である調整用画像を読み取って生成された調整用画像データを記憶する画像記憶部と、
前記画像記憶部に記憶された前記調整用画像データに基づいて画像調整処理を行う画像調整部と、
主走査方向の長さが前記原稿台の主走査方向の全長よりも短い前記調整用画像を前記原稿台へ載置する際の載置位置が予め２つ以上定められた載置定義情報を記憶する位置記憶部と、
前記位置記憶部に記憶された前記載置定義情報で定められた載置位置のうち、前記調整用画像が載置されていない何れかの載置位置に、前記調整用画像を載置するように表示部に案内表示する表示処理を行う表示制御部と、
前記調整用画像が前記原稿台に載置された場合に、前記画像読取部に前記画像読取処理を実行させる読取制御部と、
前記位置記憶部に記憶された前記載置定義情報で定められた全ての載置位置に前記調整用画像が載置されるまで、前記表示制御部に前記表示処理を実行させ、前記位置記憶部に記憶された前記載置定義情報で定められた全ての載置位置に前記調整用画像が載置されると、前記画像調整部に前記画像調整処理を実行させる実行制御部と、
前記実行制御部の実行指示を受け付ける指示受付部と、
を備えてなる画像読取装置。
【請求項２】
前記読取制御部は、前記調整用画像の前記原稿台への載置位置が、前記表示制御部による前記表示処理で案内表示された載置位置に一致する場合に、前記画像読取部に前記画像読取処理を実行させる請求項１記載の画像読取装置。
【請求項３】
請求項１または２に記載の画像読取装置と、
前記画像読取装置の出力画像データに基づいて動作を行う動作部と、を備えた画像処理装置。
【請求項４】
表示部と、原稿が載置される原稿台と、を備えた画像読取装置の画像調整方法であって、
前記原稿台に載置された原稿画像を読み取る画像読取処理を行う画像読取ステップと、
前記画像読取ステップにより画像調整用の原稿画像である調整用画像を読み取って生成された調整用画像データに基づいて画像調整処理を行う画像調整ステップと、
主走査方向の長さが前記原稿台の主走査方向の全長よりも短い前記調整用画像を前記原稿台へ載置する際の載置位置が予め２つ以上定められた載置定義情報で定められた載置位置のうち、前記調整用画像が載置されていない何れかの載置位置に、前記調整用画像を載置するように表示部に案内表示する表示処理を行う表示制御ステップと、
前記調整用画像が前記原稿台に載置された場合に、前記画像読取ステップに前記画像読取処理を実行させる読取制御ステップと、
前記載置定義情報で定められた全ての載置位置に前記調整用画像が載置されるまで、前記表示制御ステップによる前記表示処理を実行させ、前記載置定義情報で定められた全ての載置位置に前記調整用画像が載置されると、前記画像調整ステップによる前記画像調整処理を実行させる実行制御ステップと、
前記実行制御ステップの実行指示を受け付ける指示受付ステップと、
を備えてなる画像調整方法。
【請求項５】
読み取り対象となる原稿画像の載置位置を定めるための目盛りが付された、原稿画像が載置される原稿台と、前記原稿台に載置された原稿画像を読み取る画像読取処理を行う画像読取部と、前記画像読取部により画像調整用の原稿画像である調整用画像を読み取って生成された調整用画像データを記憶する画像記憶部と、前記画像記憶部に記憶された前記調整用画像データに基づいて画像調整処理を行う画像調整部と、前記原稿台において予め定められた複数の載置位置に載置された前記調整用画像に対して、前記画像読取部に前記画像読取処理を実行させる読取制御部と、前記各載置位置において読み取られて前記画像記憶部に記憶された調整用画像データに対して、前記画像調整部に前記画像調整処理を実行させる実行制御部と、前記実行制御部に前記画像調整部に前記画像調整処理を実行させる実行指示を受け付ける指示受付部と、を備えてなる画像読取装置における前記画像調整処理で用いる前記調整用画像であって、
前記原稿台に付された前記目盛りと整合させることにより、当該調整用画像が前記各載置位置に載置される目盛りが付されている調整用画像。
【請求項６】
請求項５記載の調整用画像であって、主走査方向の長さが前記原稿台の主走査方向の全長よりも短い調整用画像。
【発明の詳細な説明】
【技術分野】
【０００１】
本発明は、画像読取装置により画像調整に用いる調整用画像を読み取る際の技術に関する。
【背景技術】
【０００２】
従来から、スキャナ等の画像読取装置が原稿用面に表された原稿画像を読み取ることで生成した原稿画像の画像データを処理する画像処理装置が用いられており、例えば、スキャナ自身や、スキャナによって読み取られた原稿画像の画像データを処理する複写機、ファクシミリ及びこれらの複合機等がある。
【０００３】
ここで、原稿画像の画像データは、画像読取装置の読み取り特性により、必ずしも原稿画像に現われていた本来の画像そのものを示すものとは限らないため、例えば、所定枚数読み取り後や所定時間経過後等の定期的に、或いは、出力される画像データに著しい異常が見られた場合等に、所定の画像濃度を再現すべく画像濃度を調整する入力γ調整や、所定の色彩を再現すべくＹＭＣＫ各色の濃度等を調整するＭＴＦ（Modulation Transfer Function）／マトリクス調整等の画像調整が行われる。
【０００４】
例えば、下記特許文献１には、ＹＭＣＫ各色の階調パターンが副走査方向に並列に掲載されたカラーパッチと呼ばれる画像調整用の原稿画像をスキャナにより読み取り、当該読み取った画像データと予め濃度測定器によって当該カラーパッチを読み取ったデータとを比較して、そのずれ量から画像調整する際の補正値を演算する技術が開示されている。
【先行技術文献】
【特許文献】
【０００５】
【特許文献１】特開２０００−３２４３５２号公報
【発明の概要】
【発明が解決しようとする課題】
【０００６】
しかしながら、従来では、ユーザが画像調整用の原稿画像を原稿台の不適切な位置に載置する、或いは、当該原稿画像を載置すること自体を忘れてしまう等の理由で、スキャナによる当該原稿画像の読み取りに失敗する虞があり、そのため適切に画像調整が行えない虞があった。
【０００７】
また、画像調整用の原稿画像は、頻繁に使用されるものではないが、使用する際には画質劣化がないよう高い品質であることが求められるため、また、上記特許文献２のように、ＹＭＣＫ各色の階調パターンを副走査方向に並列に掲載する場合は、当該原稿画像が大きくなるため、高価なものであった。
【０００８】
そこで、本発明は、このような事情に鑑みてなされたものであり、安価な画像調整用の原稿画像を用いて、適切に画像調整することができる画像読取装置を提供することを目的とする。
【課題を解決するための手段】
【０００９】
請求項１に記載の発明は、表示部と、
原稿画像が載置される原稿台と、
前記原稿台に載置された原稿画像を読み取る画像読取処理を行う画像読取部と、
前記画像読取部により画像調整用の原稿画像である調整用画像を読み取って生成された調整用画像データを記憶する画像記憶部と、
前記画像記憶部に記憶された前記調整用画像データに基づいて画像調整処理を行う画像調整部と、
主走査方向の長さが前記原稿台の主走査方向の全長よりも短い前記調整用画像を前記原稿台へ載置する際の載置位置が予め２つ以上定められた載置定義情報を記憶する位置記憶部と、
前記位置記憶部に記憶された前記載置定義情報で定められた載置位置のうち、前記調整用画像が載置されていない何れかの載置位置に、前記調整用画像を載置するように表示部に案内表示する表示処理を行う表示制御部と、
前記調整用画像が前記原稿台に載置された場合に、前記画像読取部に前記画像読取処理を実行させる読取制御部と、
前記位置記憶部に記憶された前記載置定義情報で定められた全ての載置位置に前記調整用画像が載置されるまで、前記表示制御部に前記表示処理を実行させ、前記位置記憶部に記憶された前記載置定義情報で定められた全ての載置位置に前記調整用画像が載置されると、前記画像調整部に前記画像調整処理を実行させる実行制御部と、
前記実行制御部の実行指示を受け付ける指示受付部と、
を備えてなる画像読取装置である。
【００１０】
この発明では、指示受付部により、実行制御部の実行指示が受け付けられると、表示制御部により、画像調整処理で用いる調整用画像を載置定義情報で予め定められた載置位置に載置するように表示部に案内表示されるため、ユーザは、当該案内表示にしたがって調整用画像を原稿台に載置する作業を適切に行えるようになる。
【００１１】
また、ユーザにより調整用画像が原稿台に載置された場合に、画像調整部により画像調整処理が実行されるため、ユーザによって原稿台に調整用画像が載置されないまま、画像調整処理が実行されることを回避して、適切に画像調整処理を実行できるようになる。
【００１２】
さらに、載置定義情報に２つ以上の載置位置が定められているため、原稿台の主走査方向の全長分の画像調整が必要な場合であっても、表示制御部による案内表示に従って主走査方向の長さが前記原稿台の主走査方向の全長よりも短い調整用画像を各載置位置に移動して載置し、各載置位置で当該調整用画像を読取ることができるため、当該読み取った各調整用画像データを合成する等の方法で、原稿台の主走査方向の全長に対応する分の画像調整が行えるようになる。
【００１３】
このため、原稿台の主走査方向の全長分の画像調整が必要な場合であっても、原稿台の主走査方向の全長分の長さを有する調整用画像に比して小さく構成された、安価な調整用画像で画像調整が行えるようになる。
【００１４】
また、請求項２に記載の発明は、請求項１に記載の画像読取装置であって、前記読取制御部は、前記調整用画像の前記原稿台への載置位置が、前記表示制御部による前記表示処理で案内表示された載置位置に一致する場合に、前記画像読取部に前記画像読取処理を実行させる。
【００１５】
この発明では、ユーザにより調整用画像が原稿台に載置され、当該調整用画像の載置位置が載置定義情報で予め定められた載置位置と一致する場合に、画像読取部による画像読取処理が実行され、当該読み取られた調整用画像データに基づいて、画像調整部により画像調整処理が実行される。このため、ユーザによって原稿台の所定位置に調整用画像が載置されないまま、誤って調整用画像が読み取られ、当該誤って読み取られた調整用画像データに基づいて画像調整処理が実行されることを回避して、適切に画像調整処理を実行できるようになる。
【００１６】
また、請求項３に記載の発明は、請求項１または２に記載の画像読取装置と、
前記画像読取装置の出力画像データに基づいて動作を行う動作部と、を備えた画像処理装置である。
【００１７】
この発明によれば、画像処理装置において、請求項１または２に記載の発明における効果を奏することができる。
【００１８】
また、請求項４に記載の発明は、表示部と、原稿が載置される原稿台と、を備えた画像読取装置の画像調整方法であって、
前記原稿台に載置された原稿画像を読み取る画像読取処理を行う画像読取ステップと、
前記画像読取ステップにより画像調整用の原稿画像である調整用画像を読み取って生成された調整用画像データに基づいて画像調整処理を行う画像調整ステップと、
主走査方向の長さが前記原稿台の主走査方向の全長よりも短い前記調整用画像を前記原稿台へ載置する際の載置位置が予め２つ以上定められた載置定義情報で定められた載置位置のうち、前記調整用画像が載置されていない何れかの載置位置に、前記調整用画像を載置するように表示部に案内表示する表示処理を行う表示制御ステップと、
前記調整用画像が前記原稿台に載置された場合に、前記画像読取ステップに前記画像読取処理を実行させる読取制御ステップと、
前記載置定義情報で定められた全ての載置位置に前記調整用画像が載置されるまで、前記表示制御ステップによる前記表示処理を実行させ、前記載置定義情報で定められた全ての載置位置に前記調整用画像が載置されると、前記画像調整ステップによる前記画像調整処理を実行させる実行制御ステップと、
前記実行制御ステップの実行指示を受け付ける指示受付ステップと、
を備えてなる画像調整方法である。
【００１９】
この発明によれば、請求項１に記載の発明における効果を奏することができる。
【００２０】
請求項５に記載の発明は、読み取り対象となる原稿画像の載置位置を定めるための目盛りが付された、原稿画像が載置される原稿台と、前記原稿台に載置された原稿画像を読み取る画像読取処理を行う画像読取部と、前記画像読取部により画像調整用の原稿画像である調整用画像を読み取って生成された調整用画像データを記憶する画像記憶部と、前記画像記憶部に記憶された前記調整用画像データに基づいて画像調整処理を行う画像調整部と、前記原稿台において予め定められた複数の載置位置に載置された前記調整用画像に対して、前記画像読取部に前記画像読取処理を実行させる読取制御部と、前記各載置位置において読み取られて前記画像記憶部に記憶された調整用画像データに対して、前記画像調整部に前記画像調整処理を実行させる実行制御部と、前記実行制御部に前記画像調整部に前記画像調整処理を実行させる実行指示を受け付ける指示受付部と、を備えてなる画像読取装置における前記画像調整処理で用いる前記調整用画像であって、
前記原稿台に付された前記目盛りと整合させることにより、当該調整用画像が前記各載置位置に載置される目盛りが付されている調整用画像である。
【００２１】
この発明では、ユーザは、当該調整用画像に付された目盛りと原稿台に付された目盛りとを整合させるという容易な作業により、予め定められた複数の載置位置に適切に調整用画像を載置することができるようになる。
【００２２】
請求項６に記載の発明は、請求項５記載の調整用画像であって、主走査方向の長さが前記原稿台の主走査方向の全長よりも短い調整用画像である。
【００２３】
この発明では、調整用画像は、原稿台の主走査方向の全長分の長さを有する調整用画像に比して小さく構成されるため、当該調整用画像を安価に作成することができる。
【発明の効果】
【００２４】
本発明によれば、安価な画像調整用の原稿画像を用いて、適切に画像調整することができる画像読取装置を提供することが可能になる。
【図面の簡単な説明】
【００２５】
【図１】本実施の形態における複合機の内部構成を模式的に示した縦断面図である。
【図２】本実施の形態における複合機の電気的な構成を示すブロック図である。
【図３】（ａ）は、調整用画像の原稿台への載置位置を説明し、（ｂ）は、複数の載置位置が定められた載置定義情報を説明する図である。
【図４】画像調整が実行される際の処理の流れを示すフローチャートである。
【図５】表示制御部により、調整用画像を定められた載置位置に載置するように表示部に案内表示される一例を示す図である。
【図６】調整用画像に付される目盛りの一例を示す図である。
【発明を実施するための形態】
【００２６】
以下、本発明の一実施形態に係る画像読取装置及び画像処理装置について図面を参照して説明する。尚、以下の実施形態では、本発明における画像読取装置及び画像処理装置を、カラーコピー、スキャナ、ファクシミリ、プリンタ等の機能を備えた複合機に集約した形態を例に説明する。
【００２７】
図１に示すように、複合機１は大きく分けると画像読取装置２０と装置本体３０とからなる。画像読取装置２０は、原稿搬送部２１と画像読取部２２と図略の画像処理部２３を備えている。
【００２８】
原稿搬送部２１はＡＤＦを実現するものであり、原稿載置台２４１、給紙ローラ２３２、搬送ドラム２３３、排紙ローラ２３４及び排紙トレイ２３５を有する。原稿載置台２４１は原稿が載置される場所であり、原稿載置台２４１に載置された原稿は１枚ずつ給紙ローラ２３２によって取り込まれて搬送ドラム２３３へ搬送される。搬送ドラム２３３を経由した原稿は排紙ローラ２３４によって排紙トレイ２３５へ排出される。
【００２９】
画像読取部２２は、原稿の画像を光学的に読み取って画像データを生成し、図略の画像処理部２３に出力する。画像読取部２２は、装置本体３に設けられている。画像読取部２２は、コンタクトガラス２２１、光源２２２、第１ミラー２２３、第２ミラー２２４、第３ミラー２２５、第１キャリッジ２２６、第２キャリッジ２２７、結像レンズ２２８、ＣＣＤ（Charge CoupLED Device）２２９を備える。
【００３０】
画像読取部２２は、光源２２２として冷陰極蛍光管等の白色蛍光ランプが用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。画像読取部２２は、光源２２２として例えば白色LEDが用いられている。
【００３１】
ＣＩＳ２３１は、画像読取部２２よりも原稿搬送方向下流側に設けられている。ＣＩＳ２３１は、原稿搬送路において、画像読取部２２によって読み取られる原稿面とは反対側の面を読取可能な位置に設けられている。
【００３２】
コンタクトガラス２２１は、本発明における原稿画像が載置される原稿台を示すものである。光源２２２及び第１ミラー２２３は、第１キャリッジ２２６によって支持され、第２ミラー２２４及び第３ミラー２２５は第２キャリッジ２２７によって支持されている。
【００３３】
画像読取装置２０の原稿読取方法としては、コンタクトガラス２２１上に載置された原稿を画像読取部２２が読み取るフラットベッド読取モードと、原稿をＡＤＦによって取り込み、その搬送途中で原稿を読み取るＡＤＦ読取モードがある。
【００３４】
フラットベッド読取モードでは、光源２２２がコンタクトガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、原稿画像の主走査方向１ライン分の画像を同時に処理する。１ライン分の読み取りが終了すると、主走査方向と直交する方向（副走査方向、矢印Ｙ方向）に第１キャリッジ２２６及び第２キャリッジ２２７が移動され、次のラインの読み取りが行われる。
【００３５】
ＡＤＦ読取モードでは、原稿載置台２４１に載置された原稿が給紙ローラ２３２によって１枚ずつ取り込まれ、搬送ドラム２３３から排紙トレイ２３５への搬送経路に設けられた読取位置２３０上を原稿が通過するとき、光源２２２が原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿搬送部２１によって搬送され、次のラインが読み取られる。
【００３６】
尚、以下の説明において、特に記載のないものについては、フラットベッド読取モードによって原稿の画像の読み取りを行うことを前提に説明を行う。
【００３７】
画像処理部２３（図略）は、画像読取部２２で読み取られた画像データに対して、シェーディング補正や、レベル補正、ガンマ補正等の補正処理、画像データの圧縮又は伸長処理、拡大又は縮小処理などの画像補正処理（画像加工処理）を行う。当該処理後の画像データは、後述する記録部４０で画像形成する際に用いられる。
【００３８】
また、複合機１は、装置本体３０と、装置本体３０の左方に配設されたスタックトレイ６０とを有している。装置本体３０は、複数の給紙カセット４６１と、給紙カセット４６１から用紙（記録媒体）を１枚ずつ繰り出して記録部４０へ搬送する給紙ローラ４６２と、給紙カセット４６１から搬送されてきた用紙に画像を形成する記録部４０とを備える。更に手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３９】
記録部４０は、感光体ドラム４３の表面から残留電荷を除電する除電装置４２１と、除電後の感光体ドラム４３の表面を帯電させる帯電装置４２２と、画像読取部２２で取得され、画像処理部２３で補正された画像データに基づいて、レーザ光を出力して感光体ドラム４３表面を露光し、感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ、４４Ｍ、４４Ｙ、４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００４０】
尚、シアン、マゼンタ、イエロー及びブラックの各色に対するトナーの供給は、不図示のトナー供給容器（トナーカートリッジ）から行われる。また、記録部４０を通過した用紙をスタックトレイ６０又は排出トレイ４８まで搬送する搬送ローラ４６３及び４６４等が設けられている。
【００４１】
装置本体３０の前方には、操作部５０が備えられている。操作部５０は、ＬＣＤ（Liquid Crystal Display）等からなる表示部５１と、操作者から操作指示が入力される操作キー部５２を備える。
【００４２】
操作キー部５２は、テンキー、スタートキー、及び機能切換キー部等を備える。尚、スタートキーは、コピー動作やスキャン動作等の各動作を開始させる指示を操作者から受け付けるキーである。テンキーは、コピー部数を指定する指示等を操作者から受け付けるキーである。機能切換キー部は、スキャナ機能、ファクシミリ機能、プリンタ機能、コピー機能及び後述する画像調整機能等を相互に切り替える機能切換指示を操作者から受け付けるキーである。
【００４３】
表示部５１は、ＬＣＤ（Liquid Crystal Display）等からなり、タッチパネル機能を組み合わせたタッチパネルユニット等を備えている。表示部５１は、種々の操作画面を表示すると共に、操作者が表示面（表示されている操作キー）をタッチすることで種々の機能の実行指令を入力することが可能とされている。
【００４４】
図２は、図１に示す画像形成装置１の電気的な構成を示すブロック図である。図２に示すように、複合機１は、上記の原稿搬送部２１と画像読取部２２と記録部４０と操作部５０と、画像処理部２３と、通信部３０と、制御部１０と、を備えている。通信部３０は、各種のデータをパーソナルコンピュータなどの所定の外部機器（図示せず）との間で通信を行うものである。
【００４５】
制御部１０は、データを一時的に保管する機能や作業領域としての機能を有するＲＡＭ（Random Access Memory）、プログラムを予め記憶するフラッシュメモリ、及び、前記プログラム等をフラッシュメモリから読み出して実行するＣＰＵを備えて構成されており、ＣＰＵとＲＡＭ及びフラッシュメモリとはデータバスを介してデータの授受を行うように構成されている。ＣＰＵは、フラッシュメモリに格納されているプログラムを適宜実行することで、そのプログラムの内容に応じた処理を実行する。
【００４６】
制御部１０は、画像記憶部１１と、画像調整部１２と、位置記憶部１３と、表示制御部１４と、読取制御部１５と、実行制御部１６と、指示受付部１７としての機能を有する。
【００４７】
画像記憶部１１は、ＲＡＭ等のメモリで構成され、画像読取部２２により、画像調整用の原稿画像である調整用画像を読み取って生成された調整用画像データを記憶するものである。
【００４８】
画像調整部１２は、画像記憶部１１に記憶された調整用画像データに基づいて画像調整処理を行うものである。
【００４９】
画像調整部１２は、画像読取部２２で読取られた原稿画像の画像データが画像読取部２２の読み取り特性により、必ずしも原稿画像に現われていた本来の画像そのものを示すものとは限らないため、例えば、所定枚数読み取り後や所定時間経過後等の定期的に、或いは、出力される画像データに著しい異常が見られた場合等に、所定の画像濃度を再現すべく画像濃度を調整する入力γ調整や、所定の色彩を再現すべくＹＭＣＫ各色の濃度等を調整するＭＴＦ（Modulation Transfer Function）／マトリクス調整等の画像調整処理を行う。
【００５０】
画像調整処理は、例えば、ＹＭＣＫ各色の階調パターンが掲載された画像調整用の調整用画像を画像読取部２２により読み取り、読み取った調整用画像データと濃度測定器等によって予め当該調整用画像を読み取ったデータとを比較して、そのずれ量から、画像読取部２２で読取られた画像データを画像処理部２３で補正処理する際の補正値を演算する処理である。
【００５１】
位置記憶部１３は、ＲＡＭ等のメモリで構成され、主走査方向の長さがコンタクトガラス２２１の主走査方向の全長よりも短い調整用画像をコンタクトガラス２２１へ載置する際の載置位置が予め２つ以上定められた載置定義情報を記憶する。尚、載置位置定義を位置記憶部１３に記憶する方法は、例えば、載置位置定義情報を入力設定するための操作画面を表示部５１に表示し、当該複合機１の管理者等により当該操作画面上で入力された情報を記憶する等、適宜その構成を変更してもよい。
【００５２】
例えば、載置位置定義情報には、図３（ａ）に示すように、コンタクトガラス２２１の主操作方向の全長がＹ０、調整用画像の主走査方向の長さがコンタクトガラス２２１の全長Ｙ０よりも短い長さＹ１であるとした場合に、図３（ｂ）に示すように、２つの載置位置ＭＹ１、ＭＹ２が設定される。
【００５３】
このように、載置定義情報に複数の載置位置が定められると、調整用画像がコンタクトガラス２２１の主走査方向よりも短い長さＹ１に構成されている場合であっても、コンタクトガラス２２１の主走査方向の全長Ｙ０に渡る画像調整処理に必要な画像を読み取ることができるようになる。つまり、当該調整用画像を載置位置ＭＹ１に載置して画像読取部２２により調整用画像を読み取り、次いで、調整用画像を載置位置ＭＹ２に載置して画像読取部２２により調整用画像を読み取り、コンタクトガラス２２１の主走査方向の全長に渡る調整用画像を読み取ることができるようになる。
【００５４】
このため、コンタクトガラス２２１の主走査方向の全長分の画像調整が必要な場合であっても、コンタクトガラス２２１の主走査方向の全長分の長さを有する調整用画像に比して小さく構成された安価な調整用画像で、コンタクトガラス２２１の主走査方向の全長分の画像を読み取ることができるようになる。
【００５５】
表示制御部１４は、位置記憶部１３に記憶された載置定義情報で定められた載置位置のうち、調整用画像が載置されていない何れかの載置位置に、調整用画像を載置するように表示部に案内表示する表示処理を行うものである。表示制御部１４は、当該何れかの載置位置を案内表示すると、ＲＡＭに当該案内表示した載置位置を一旦記憶する。
【００５６】
読取制御部１５は、調整用画像のコンタクトガラス２２１への載置位置が、表示制御部１４による表示処理で案内表示された載置位置に一致する場合に、画像読取部２２に画像読取処理を実行させるものである。
【００５７】
例えば、読取制御部１５は、前記載置位置が一致するか否かの判断を、表示制御部１４により位置記憶部１３に記憶された載置定義情報で定められた載置位置のうち調整用画像が載置されていない何れかの載置位置が案内表示され、ユーザが当該案内表示に基づいて調整用画像をコンタクトガラス２２１に載置して、操作キー部５２及びタッチパネル機能等により、載置完了の入力が受け付けられると、予め定められた時間間隔で、画像読取部２２により調整用画像の１ライン分の画像を読み取り、当該読み取った１ライン分の調整用画像の画像データの主走査方向の開始位置及び終了位置が、表示制御部１４によりＲＡＭに予め記憶された各載置位置に調整用画像を載置した場合の主走査方向の開始位置及び終了位置に一致するか否かを判断する処理を繰り返し実行することで行う。
【００５８】
尚、読取制御部１５による調整用原稿の載置位置が一致するか否かの判断方法は、これに限らず、載置位置を検出するセンサを別途設ける等の方法で、設計事項として適宜その構成を変更してもよい。
【００５９】
読取制御部１５は、調整用画像の載置位置が表示制御部１４によりＲＡＭに一旦記憶された載置位置に一致すると判断すると、当該載置位置を載置完了した載置位置として、ＲＡＭの上記の表示制御部１４により案内表示した載置位置が記憶される領域とは異なる領域に一旦記憶し、画像読取部２２に画像読取処理を実行させる。尚、画像読取処理とは、上記のように、画像読取部２２によってコンタクトガラス２２１に載置された調整用画像を読み取り、当該読み取った調整用画像の画像データを画像記憶部１１に記憶する処理を示す。
【００６０】
実行制御部１６は、位置記憶部１３に記憶された載置定義情報で定められた全ての載置位置に調整用画像が載置されるまで、表示制御部１４に表示処理を実行させ、位置記憶部１３に記憶された載置定義情報で定められた全ての載置位置に調整用画像が載置されると、画像調整部１２に上記の画像調整処理を実行させるものである。
【００６１】
実行制御部１６は、画像調整に関わる各部の動作制御を行うものであり、読取制御部１５によりＲＡＭに一旦記憶された載置完了した載置位置に基づいて、位置記憶部１３に記憶された載置定義情報で定められた全ての載置位置に調整用画像が載置されていないと判断すると、表示制御部１４に上記の表示処理を実行させる。一方、実行制御部１６は、位置記憶部１３に記憶された載置定義情報で定められた全ての載置位置に調整用画像が載置されたと判断すると、画像調整部１２に画像調整処理を実行させる。
【００６２】
指示受付部１７は、実行制御部の実行指示を受け付けるものである。例えば、指示受付部１７は、ユーザによる操作キー部５２に備えられた機能切替キーの押下等により、画像調整処理の実行の入力を受け付けると、実行制御部１６に実行指示を与えるように構成されている。
【００６３】
つまり、本発明における画像読取装置２０は、原稿台としてのコンタクトガラス２２１と、表示部５１と、画像読取部２２と、制御部１０に備えられた画像記憶部１１と画像調整部１２と位置記憶部１３と表示制御部１４と読取制御部１５と実行制御部１６と指示受付部１７と、を備えて構成されている。
【００６４】
以下では、画像調整が実行される際の処理の流れについて説明する。図４に示すように、実行指示受付部１７で実行制御部１６の実行指示が受け付けられると（Ｓ１、指示受付ステップ）、実行制御部１６は、読取制御部１５によりＲＡＭに記憶された載置完了した載置位置（初回はなし）に基づいて、位置記憶部１３に記憶された載置定義情報で定められた全ての載置位置に調整用画像が載置されていないと判断し、表示制御部１４に表示処理を実行させる（Ｓ２、実行制御ステップ；ＮＯ）。
【００６５】
表示制御部１４は、読取制御部１５によりＲＡＭに記憶された載置完了した載置位置（初回はなし）に基づいて、位置記憶部１３に記憶された載置定義情報で定められた載置位置のうち、調整用画像が載置されていない何れかの載置位置に、調整用画像を載置するように表示部５１に案内表示する表示処理を行い、当該載置位置をＲＡＭに一旦記憶する（Ｓ３、表示制御ステップ）。
【００６６】
例えば、表示制御部１４は、図３（ａ）（ｂ）に例示した載置定義情報で定められた載置位置ＭＹ１の載置開始位置ＹＳ１と載置終了位置ＹＥ１のうち少なくとも一方に調整用画像を載置するように、表示部５１に案内表示する表示処理を行う。
【００６７】
ここで、案内表示とは、例えば、載置定義情報に定められた載置位置をコンタクトガラス２２１の上端からの距離を示す数値として表示しても、当該表示された数値に基づいてユーザが調整用画像を載置することは困難であるため、ユーザが表示部５１に表示された内容に基づいて容易に調整用画像を所定の載置位置に載置できるように、載置位置をユーザーフレンドリーな用語に置き換えて表示することを示している。
【００６８】
例えば、図５に示すように、表示制御部１４は、載置定義情報で定められた載置位置ＭＹ１（図３）を表示部５１に案内表示する。本例では、ユーザがコピー機能等を利用する際に原稿のサイズに応じて容易に所定の載置位置に原稿を載置できるように、コンタクトガラス２２１の周辺に読み取り対象となる原稿画像の載置位置を定めるための目盛りや原稿サイズ（例えば、「Ｂ５」等）を識別させる識別子が付されている場合に、載置位置ＭＹ１の上端ＹＳ１（図３）が「上端」、載置位置ＭＹ１の下端ＹＥ１（図３）が「Ｂ５の目盛」として案内表示されている。
【００６９】
図４に戻り、ユーザにより、調整用画像が載置され、タッチパネル機能等により、載置完了の入力が受け付けられると、読取制御部１５は、上記のように、調整用画像の載置位置が表示制御部１４によりＲＡＭに一旦記憶された載置位置に一致するか否かを判断する。調整用画像の載置位置が表示制御部１４によりＲＡＭに一旦記憶された載置位置に一致しない場合は（Ｓ４、読取制御ステップ；ＮＯ）、ステップＳ２に戻り、再度表示制御部１４により当該載置位置に調整用画像を載置するように案内表示させ、調整用画像の載置位置が、表示制御部１４によりＲＡＭに一旦記憶された載置位置に一致すると判断した場合は（Ｓ４、読取制御ステップ；ＹＥＳ）、当該載置位置を載置完了した載置位置として一旦ＲＡＭに記憶し、画像読取部２２に画像読取処理を実行させる。
【００７０】
画像読取部２２は、画像読取処理を実行し、読み込んだ調整用画像データを画像記憶部１１に記憶する（Ｓ５、画像読取ステップ）。
【００７１】
続いて、実行制御部１６は、再びステップＳ２の処理を実行し、ＲＡＭに記憶された載置完了した載置位置に基づいて、位置記憶部１３に記憶された載置定義情報で定められた全ての載置位置に調整用画像が載置されていないと判断すると、表示制御部１４に表示処理を実行させる（Ｓ２、実行制御ステップ；ＮＯ）。一方、位置記憶部１３に記憶された載置定義情報で定められた全ての載置位置に調整用画像が載置されたと判断した場合は（Ｓ２、実行制御ステップ；ＹＥＳ）、画像調整部１２に画像調整処理を実行させる。
【００７２】
画像調整部１２は、画像読取部２２による画像読取処理により、画像記憶部１１に記憶された調整用画像データに基づいて画像調整処理を行う（Ｓ６、画像調整ステップ）。尚、画像調整部１２は、上記の図３で例示したように、載置定義情報に複数の載置位置が定められている場合には、各載置位置で調整用原稿が読取られて生成された調整用画像データが画像記憶部１１に記憶されているため、当該各調整用画像データを合成する等して、コンタクトガラス２２１の主走査方向の全長分に対応する調整用画像データを用い、上記の画像調整処理を行う。
【００７３】
このように、指示受付部１７による指示受付ステップ（Ｓ１）により、実行制御部１６の実行指示が受け付けられると、実行制御部１６による実行制御ステップ（Ｓ２）により、表示制御部１４による表示制御ステップ（Ｓ３）が実行され、画像調整処理で用いる調整用画像を載置定義情報で予め定められた載置位置に載置するように表示部５１に案内表示されるため、ユーザは、当該案内表示にしたがって調整用画像をコンタクトガラス２２１に載置する作業を適切に行えるようになる。
【００７４】
また、ユーザにより調整用画像がコンタクトガラス２２１に載置され、読取制御部１５による読取制御ステップ（Ｓ４）により、当該調整用画像の載置位置が載置定義情報で予め定められた載置位置と一致すると判断された場合に、画像読取部２２による画像読取ステップ（Ｓ５）によって画像読取処理が実行され、実行制御部１６による実行制御ステップ（Ｓ２）により、位置記憶部１３に記憶された載置定義情報で定められた全ての載置位置に調整用画像が載置されていると判断されると、画像調整部１２による画像調整ステップ（Ｓ６）により、当該読み取られた調整用画像データに基づいて画像調整処理が実行される。
【００７５】
このため、ユーザによってコンタクトガラス２２１の所定位置に調整用画像が載置されないまま、誤って調整用画像が読み取られ、当該誤って読み取られた調整用画像データに基づいて画像調整処理が実行されることを回避して、適切に画像調整処理を実行できるようになる。
【００７６】
上記の構成に加えて、調整用画像には、コンタクトガラス２２１の周辺に付された目盛りと整合させることにより、調整用画像が載置定義情報で定められた載置位置に載置されるように目盛りが付されていてもよい。
【００７７】
例えば、図６（ａ）に示すように、調整用画像には、「１）Ａ６」「２）Ｂ６」と示された目盛りが付され、「１）Ａ６」の目盛りと、コンタクトガラス２２１の周辺に付された「Ａ６」の目盛りとを整合させることで、所定の載置位置に調整用画像が載置される。また、図６（ｂ）に示すように、「２）Ｂ６」の目盛りと、コンタクトガラス２２１の周辺に付された「Ｂ６」の目盛りとを整合させることで、上記の載置位置とは異なる載置位置に調整用画像が載置される。
【００７８】
つまり、ユーザは、当該調整用画像に付された目盛りと原稿台に付された目盛りとを整合させるという容易な作業で、表示制御部１４により案内表示された載置位置に適切に調整用画像を載置することができるようになる。
【００７９】
尚、読取制御部１５は、ステップＳ４（読取制御ステップ）において、調整用画像の載置位置が表示制御部１４によりＲＡＭに一旦記憶された載置位置に一致するか否かを判断していたが、これに代えて、調整用画像が原稿台に載置されているか否かを判断するように構成してもよい。
【００８０】
例えば、読取制御部１５は、調整用画像が原稿台に載置されているか否かの判断を、表示制御部１４により位置記憶部１３に記憶された載置定義情報で定められた載置位置のうち調整用画像が載置されていない何れかの載置位置が案内表示され、ユーザが当該案内表示に基づいて調整用画像をコンタクトガラス２２１に載置して、操作キー部５２及びタッチパネル機能等により、載置完了の入力が受け付けられると、予め定められた時間間隔で、画像読取部２２により調整用画像の１ライン分の画像を読み取り、当該調整用画像の１ライン分の画像データを読み取ることができたか否かを判断する処理を繰り返し実行することで行うようにして構成することができる。この場合、調整用画像がコンタクトガラス２２１に載置されないまま、画像調整処理が行われることを回避できるようになる。
【００８１】
尚、上記各実施形態では、本発明に係る画像処理装置の一例を、スキャナ機能、ファクシミリ機能、プリンタ機能、コピー機能等を兼ね備えた複合機として説明したが、本発明に係る画像処理装置は複合機に限られず、他の画像処理装置（コピー機、スキャナ装置等）であっても構わない。
【００８２】
尚、本発明は上述の実施形態の構成に限られず種々の変形が可能である。前記図１乃至図６に示した構成及び処理は、本発明に係る実施形態の例示に過ぎず、本発明を前記実施形態に限定する趣旨ではない。
【符号の説明】
【００８３】
１    画像処理装置（複合機）
５１  表示部
１０  制御部
１１  画像記憶部
１２  画像調整部
１３  位置記憶部
１４  表示制御部
１５  読取制御部
１６  実行制御部
１７  指示受付部
２０  画像読取装置
２２  画像読取部
２３  画像処理部
２２１  原稿台（コンタクトガラス）
【図１】
2011176614.tif 000003
【図２】
2011176614.tif 000004
【図３】
2011176614.tif 000005
【図４】
2011176614.tif 000006
【図５】
2011176614.tif 000007
【図６】
2011176614.tif 000008